(57)【特許請求の範囲】
【請求項１】
手浴を目的として使用する浴槽に、手首や腕を支えることができる手首支え部を具備した手浴槽であって、
前記手首支え部は上面を凹状に形成、前記手首支え部の底面は接地するよう形成し、
前記浴槽の浴槽空間部を中央に位置し、両端に前記手首支え部が位置し、使用時に前記手首支え部と前記浴槽空間部とが、直線状に並ぶように形成するか、
又は前記浴槽の浴槽空間部を中央に位置し、左右の手首支え部と前記浴槽空間部とをＵ字状、又は弧の字状の曲線状に並ぶように形成したことを特徴とする手浴槽
【請求項２】
手浴を目的として使用する浴槽に、手首や腕を支えることができる手首支え部を具備した手浴槽であって、
前記手首支え部は上面を凹状に形成し前記手首支え部の底面は接地するよう形成し、
前記手首支え部は前記浴槽の浴槽空間部と一体である空洞を設け、前記浴槽に注がれた入浴用のお湯が前記手首支え部の空洞にも入るよう形成したことを特徴とする手浴槽。
【請求項３】
前記手首支え部が、手浴槽の縁に形成され、該手首支え部より前記浴槽内側に向かって傾斜した手首や腕を支える支え壁を具備したことを特徴とする請求項１に記載の手浴槽。
【発明の詳細な説明】
【技術分野】
【０００１】
本考案は、浴槽にお湯をはり、手の入浴を行う手浴（手湯）に関するものである。
【背景技術】
【０００２】
従来は足湯と同時に手浴を行う装置が多く、浴槽が装置に固定されており入浴後の手入れが容易ではない。使用者が自由に入浴したい部屋へ浴槽を持ち運ぶことは難しく、浴槽を分離して入浴場所を選択することもできず、個人が自宅用とするには不向きなものが多い。特許文献１に挙げた装置は、足湯は目的外であるが、これも装置であり個人が自宅に置ける小形なものではなく、第三者がいて初めて蓋を閉じて使用が可能となるスパ装置である。
また、特許文献１は構造上使用時に浴槽自体が転倒してしまうことがあきらかなものであり、使用者はリラックス状態で入浴できない為、快適な入浴効果は望めないものである。
【先行技術文献】
【特許文献】
【０００３】
【特許文献１】国際公開第２００６／１２０７６７号
【発明の概要】
【発明が解決しようとする課題】
【０００４】
従来から手浴を行うための浴槽の考案はあるが、多くは足湯と同時に手浴を行う温浴機のようなもので、装置と名づく程大形で個人的に自宅に置くには難のあるものが目立つ。
従来技術でハンドトリートメントスパ装置（国際公開第２００６／１２０７６７号）があり、手首付近を支える部材を具備したものだが、使用時に手首を支える部材に腕の重さが加重され、本体である浴槽自体が倒れてしまう為、腕を浴槽本体にあずけることができず、結果肩や首、腕の力を抜くことができず楽な入浴は不可能なものであった。
そこで本発明は個人が自宅用としても使用可能である小形で持ち運びが容易、卓上や床等、その他使用者が自由に入浴場所を選択可能な浴槽を提供することを目的とすることと、肩や首、腕の力を抜いた楽な姿勢での手浴が可能となるよう、手首や腕を支える部材に対してバランスのよい加重を可能とし、浴槽の転倒を防ぐことを目的としたものである。
【課題を解決するための手段】
【０００５】
上記目的を解決するために請求項１の手浴槽は、手浴を目的として使用する浴槽に、手首や腕を支えることができる手首支え部を具備した手浴槽であって、前記手首支え部は上面を凹状に形成、前記手首支え部の底面は接地するよう形成し、前記浴槽の浴槽空間部を中央に位置し、両端に前記手首支え部が位置し、使用時に前記手首支え部と前記浴槽空間部とが、直線状に並ぶように形成するか、又は前記浴槽の浴槽空間部を中央に位置し、左右の手首支え部と前記浴槽空間部とをＵ字状、又は弧の字状の曲線状に並ぶように形成した。
【０００６】
この請求項１の手浴槽によれば、浴槽に手首支え部を具備したものであり、手首支え部の上面は凹状に形成されている。凹状は、図１などに示すＵ字状のものや、凹の字のように上部がコの字状など、その他の凹状態を含むものである。（請求項２、３、も同様。）
また、手首支え部底面を接地させることで安定度が格段に上がり傾きや転倒を防ぐ。（請求項２、３、でも底部を接地させることで同様の効果がある。）傾きを防ぐとは、加重した際浴槽内のお湯が毀れない程度の安定度があれば傾かない安定力をもった接地と言える。
使用時に直線状に並ぶとは、例えば図７ａに示すように浴槽本体及び浴槽空間部を中央にし、それぞれの手首支え部とが直線状に並ぶように形成したものや、図１２のように浴槽本体と手首支え部が別に形成され、使用時に直線状に並べて使用できるものをさしている。
【０００７】
曲線状に並ぶように形成するとは、手浴槽を平面で見た際Ｕ字状や‘⌒’のような曲線で、浴槽本体（浴槽空間部。）と手首支え部とを結ぶことができるものを意味している。
主に図７ｃに示すもので、浴槽本体及び浴槽空間部を中央にし、それぞれの手首支え部とが曲線状に並ぶように形成したものをさしている。
これは、浴槽本体や手首支え部自体が必ずしも湾曲している必要はなく、例えば図１７に示す手浴槽も浴槽空間部を中央にし、それぞれの手首支え部とがＵ字状や⌒字状の曲線で結ぶことができる為、これもここで言う曲線状に並んでいると言えるものである。また、手浴槽を上方から平面で見た際、への字型等に形成した場合も浴槽本体を中心とし、手首支え部とがＵ字状などの曲線で結ぶことができる為、これも曲線状に並ぶものである。
曲線状に並べる意味は、真横から手を挿入させる直線状の手浴槽と比較して、テーブル上に置いた手浴槽に対して使用者が両手を前方に出して入浴するものである。手を挿入する方向は異なるが、直線状に並ぶ手浴槽同様に自然で楽な姿勢で入浴できるものである。
【０００８】
請求項２の手浴槽は、手浴を目的として使用する浴槽に、手首や腕を支えることができる手首支え部を具備した手浴槽であって、前記手首支え部は上面を凹状に形成し前記手首支え部の底面は接地するよう形成し、前記手首支え部は前記浴槽の浴槽空間部と一体である空洞を設け、前記浴槽に注がれた入浴用のお湯が前記手首支え部の空洞にも入るよう形成した。
【０００９】
この請求項２の手浴槽によれば、前述したように上面が凹状に形成された手首支え部を具備している。浴槽空間部はお湯を入れるための空洞であるが、それと同様に手首支え部の内部に空洞（図６ｂ参照。）を設けることで、浴槽空間部と手首支え部内空洞とが一体の空間となり、そこへお湯を注ぎ入浴することで、腕を濡らさず温めることができるものである。（図３ｂは、手首支え部内は空洞でない。図１０ａのような手浴槽は手首支え部内空洞と浴槽空間部が一体である。）また、手首支え部を接地するように形成し、安定度を上げることが好ましい。
手首支え部と浴槽の直線状又は曲線状については前述したとおりである。
【００１０】
また、手首支え部内空洞を設け、手首支え部上面が下に向かって傾斜しているものもある。これにより図１０ａや、図１１ｂのように手首支え部上面に直接お湯が触れる為、支えた腕を効率的且つ濡らすことなく温めることができる。ここに上面を傾斜させる意味があり、重要な効果が付随されるものである。
【００１１】
請求項３の手浴槽は、前記手首支え部が、手浴槽の縁に形成され、該手首支え部より前記浴槽内側に向かって傾斜した手首や腕を支える支え壁を具備した。
【００１２】
この請求項３の手浴槽によれば、手浴槽のふちに手首支え部が設けられ、大体手首支え部の辺りから浴槽内側（浴槽空間部。）に向かって傾斜した支え壁を具備したものである。（図１５、図１６、図１７に示す手浴槽。）
図１５に示す手浴槽は、使用者が両サイドから手を挿入して入浴するもので、開口部より水面が上部にある為、手首、腕の全面を直接湯船に浸けて温めることができるものである。また、支え壁が傾斜している為腕を支え、且つ手首の力を抜いた楽な状態で入浴が可能となる。
【００１３】
支え壁を設けたタイプの手浴槽は、図示したものより細く長方形になるよう形成してもよく、図７ｃのように曲線に並ぶように形成してもよい。その場合コンパクトになりお湯の必要量を減らすことができる。
内部は図１５ｂに示してあり、支え壁下部空洞と浴槽空間部とが一体の空間になっている。これにより支え壁自体が温まり、入浴時に腕を置くことで広範囲を温めることができる。
【００１４】
図１６ａに示す手浴槽は、手首支え部から開口部までの支え壁が腕を支えやすいよう凹状に湾曲形成している。図１６ｂを見るとわかるように、支え壁下部には浴槽空間部とは別の空間（又は空間を設けない。）があり浴槽空間部を必要以上に大きくしないことで湯量をおさえることができる。
図１７に示す手浴槽は円形で、手首支え部は真横や正面でなく、やや斜めに位置している。これにより使用者が前方に腕を伸ばした際、最も自然な状態で入浴姿勢を維持することができる。（手首支え部と浴槽空間部とがＵ字状に並ぶ。）図１７ａにお湯を注いだ状態が図１７ｂであり、それを横から見ても図１６ｂのような図になる。
【発明の効果】
【００１５】
手浴は冷えからくる肩こりや首こりの緩和や予防に効果がある手軽な入浴法である。また、手浴は足より心臓に近く位置する手を入浴するものである為、足湯を行うより早く体を温める効果があるとされている。従来は洗面器などにお湯を入れ手の入浴を行うことが多いが、本発明である手浴槽７７の手首支え部１４で手首１０や腕を支えることで肩や首、腕や手首１０の力を抜いた楽な姿勢で手浴が可能となる。手首支え部底面１４ｂを接地させるよう形成することで手浴槽７７全体の安定度が増し、腕を支える際に上面に力が加わってもバランスを崩さない効果がある。これにより片手用の手浴槽７７を形成した際も、浴槽の転倒を防ぐことができる。
【００１６】
蓋２を設けることで浴槽内のお湯を冷め難くする効果がある。また、蓋支え板３を具備することで使用者が入浴すると同時に蓋２を閉じることができ、個人で使用しても両手同時に蓋２を閉じて入浴が可能となる。
ゴム挿通部１６を具備することで開口部１３から熱気を逃がしにくくすることができ、お湯を冷め難くする効果がある。
【００１７】
図８に示す手浴槽７７は、手を挿入する開口部１３が浴槽本体１の上面にあり、手首支え部１４と一体となり内部に空洞を有している。手首支え部内空洞１７と浴槽空間部１１にお湯を注ぎ入浴を行うものである。これにより手首支え部１４で支えた腕も同時に温める効果がある。
側面に開口部１３を設けた手浴槽７７も、手首支え部内空洞１７を設けることで同様の効果があり、図９、図１０、図１１、図１２、図１３、図１４のように手首支え部１４の上面を傾斜させることで直接上面内側にお湯が接触し、手首支え部１４で支えた腕をよりいっそう温める効果がある。
【００１８】
図１５、図１６、図１７に示す手浴槽７７は、手首支え部１４と支え壁１２とで手首１０及び腕を支えることができる。支え壁１２が傾斜していることにより、浴槽に注がれたお湯は水面が上にいくほど広がっている為（図１６ｂ参照。）腕を広範囲に温めることができ、浴槽空間部１１は深さがある為手首１０の力を抜いた楽な状態で入浴が可能となる。支え壁下部空洞１９があるタイプは支えた腕を肘側までの広範囲を温める効果があり、支え壁下部空洞１９が浴槽空間部１１と一体でないタイプは浴槽の湯量を抑える効果がある。
【図面の簡単な説明】
【００１９】
【図１】ａは手浴槽の斜視図であり、ｂはａの側面図である。
【図２】ａは開閉可能な蓋を具備した手浴槽が蓋を閉じた状態であり、ｂはａの蓋を開いた状態の手浴槽の斜視図である。
【図３】ａは開閉可能な蓋をそれぞれに具備した手浴槽の斜視図であり、ｂはステー及び蓋支え板を具備した手浴槽の側面透視図、実施例である。
【図４】ａは蓋支え板の正面図であり、ｂは手浴槽に具備されたステーで蓋支え板を支えた斜視図である。
【図５】ａはゴム挿通部に手首を通した図であり、ｂはゴム挿通部を具備した手浴槽の斜視図である。
【図６】ａは片手用の手浴槽の斜視図であり、ｂは手首支え部の内部が空洞であることを示す斜視図である。
【図７】ａは手浴槽の斜視図であり、ｂはａを上から見た平面図であり、ｃは湾曲した手浴槽の平面図である。
【図８】ａは開口部を上面に具備し、浴槽本体と手首支え部の内部の空洞が一体である手浴槽の斜視図であり、ｂはａを上面から見た平面図であり、中央の開口部付近点線で囲われた部分が浴槽本体であり、その両サイドが手首支え部を図示したものである。
【図９】ａは上面が傾斜した手首支え部を具備した手浴槽の斜視図であり、ｂはａの側面図である。
【図１０】ａは内部に空洞を持ち上面が傾斜した手首支え部と蓋支え板を具備した手浴槽の斜視図であり、ｂは蓋支え板の正面図であり、ｃは蓋支え板の側面図である。
【図１１】ａは片手用で手首支え部上面が傾斜した手浴槽の斜視図であり、ｂはａの側面透視である。
【図１２】ａは手首支え部上面が傾斜しており、別である浴槽本体と合わせて使用可能な手浴槽の斜視図であり、ｂは手首支え部と浴槽を合わせた手浴槽の斜視図である。
【図１３】ａは浴槽本体が両手用の手首支え部を接続可能な手浴槽の斜視図であり、ｂはａの側面図である。
【図１４】ａは手首支え部上面が傾斜し、蓋を具備した斜視図であり、ｂは両サイドから使用できるようａを縦に重ねた側面透視図である。
【図１５】ａは浴槽の内側に向かって支え壁が傾斜しており、支え壁下部空洞と浴槽空間部が一体である手浴槽の斜視図であり、ｂはａのＡ−Ａ線における断面図である。
【図１６】ａは浴槽の内側に向かって支え壁が傾斜しており、浴槽空間部を中央付近に収めた手浴槽の斜視図であり、ｂはａのＢ−Ｂ線における断面図である。
【図１７】ａは浴槽の内側に向かって支え壁が傾斜しており、浴槽空間部を中央付近に収めた手浴槽の斜視図であり、ｂはａにお湯を入れた斜視図である。
【発明を実施するための形態】
【００２０】
以下、本発明を添付図面に示す実施例に基づいて一例を説明する。
【００２１】
手浴槽７７の素材の一例としては、合成樹脂素材等があげられる。その他お湯が滲み込まない素材で形成することや、お湯の温度を維持しやすい材料を用いて形成することが望ましい。また、手首支え部上面１４ａが浴槽内に満たされたお湯で温まるタイプの手浴槽７７は、手首支え部１４に熱を伝えやすい材料で形成することが望ましい。
おもにはテーブル等の上に手浴槽７７を置いた状態で使用し、いずれかの開口部１３よりお湯を注ぎ、開口部１３より手を挿入し、手首支え部１４で手首１０や腕を支え、浴槽に満たされたお湯で手の入浴を行うものである。
お湯を入れる目安として水位ライン８を設けると加減が容易となるため、具備してもよい。
【００２２】
手浴槽７７は、浴槽に手首支え部１４を具備したものであるが、手首支え部底面１４ｂが浴槽同様に接地するよう形成することで上からの加重による転倒を防ぐことができる。
従来技術であるハンドトリートメントスパ装置（国際公開第２００６／１２０７６７号）は、片手ずつ別の浴槽で入浴するものだが、手首１０を支える部材の底面は接地しておらず、このような手首１０を支える部材に上面から腕を乗せ加重がなされれば間違いなく浴槽が転倒してしまう。
本発明の手浴槽７７は、手首支え部底面１４ｂを接地させることで抜群な安定力が得られる為、片手用の手浴槽７７であってもバランスを保つことができ、手首支え部底面１４ｂを広く形成したり、長く形成したりすることで更に安定力を増すことができる。
その他、両手用の手浴槽７７は、浴槽の両サイドや、浴槽の角付近に手首支え部１４を設けることで両手を支えた際の加重バランスをよくし、転倒を防ぐことができる。このような方法でバランスが十分保てている場合は必ずしも手首支え部１４の接地にこだわる必要はない。
【００２３】
図１ａ、ｂは、浴槽本体１と手首支え部１４とが直線状に並ぶように形成された手浴槽７７である。ここで言う直線状とは、例えば中央に位置する浴槽本体１のサイズが手首支え部１４より大きくした場合でも、手首支え部１４との接続面を浴槽本体１の側面中央に接続させ、その接続面と対抗する浴槽本体１側面中央にもう一つの手首支え部１４を接続することで、平面で見たとき浴槽本体１と手首支え部１４とが直線状であると言えるものである。また、浴槽本体１を手首支え部１４より小さく形成した場合も同様に並べることで直線状と言えるものである。
【００２４】
図２ａ、ｂは、浴槽本体１と手首支え部１４とが直線状に並ぶように形成された手浴槽７７が、開閉可能な蓋２を具備した物である。
図２ｂのように蝶番を使用するなどして（その他の接続方法も含む。）一部を接続したまま、非接続面側から開口するように形成したり、接続部はなく蓋２が完全に取り外しできるように具備してもよい。
このように蓋２を具備することで浴槽へお湯を注ぎやすく、排水も容易であり、その他拭き取り作業等の手入れが容易となる。
【００２５】
図３ａ、ｂは、浴槽本体１と手首支え部１４とが直線状に並ぶように形成された手浴槽７７が、右手用と左手用としてそれぞれに開閉可能な蓋２を具備した物である。
図３ｂは、蓋２に蓋支え板３を具備し、浴槽本体１内側に具備したステー１５により蓋支え板３を支えることで使用前に蓋２を開けた状態を維持することができるものである。
使用時に開口部１３より手を挿通することで指先９が蓋支え板３を押し込み、その際蓋２を閉じることができる。このように形成することで使用者が一人でも蓋２を閉じた状態での手浴が可能となる。図３ｂ右手側は手を挿入することで蓋２が閉じた状態で、入浴実施例であり、左側は入浴前の蓋２支え状態を示したものである。
図３ｂに示すステー１５はＬ字形に形成してあり、更に蓋支え板３を支える部分に凹凸を加えてある。必ずしもＬ字形や凹凸をつける必要はないが、Ｌ字形で壁を設けることにより、開口部１３側に蓋支え板３がずれて蓋２が閉じることを避けることができ、凹凸を加えることで蓋２が急激に閉じるのを避けることができる。
【００２６】
図４ａは蓋支え板３を図示したものであり、図４ｂは上方より見た浴槽に具備されたステー１５と蓋支え板３の位置関係を図示したものである。この図４ｂの蓋支え板３の上方に蓋２があると想定できる。蓋支え板３は必ず蓋２に具備する必要はなく、必要であれば浴槽本体１に具備し、蓋２を支えてもよいものである。
【００２７】
また、全ての手浴槽７７に具備可能なゴム挿通部１６は、図５に示すもので、薄いゴム製、シリコンなどの素材により、三日月形やドーナツ形等に形成し、開口部１３や右手用開口部４ａ、左手用開口部４に一部を貼り付けるように具備することで、お湯の温度を保ちやすくすることができるものである。
蓋２を具備し、開閉可能に形成された手浴槽７７には、蓋２に三日月形のゴム挿通部１６を具備すると効率的であり、図１のようにそれぞれの開口部１３が固定した手浴槽７７には、ドーナツ形のゴム挿通部１６を具備してもよい。
【００２８】
図６ａに示すものは片手用の手浴槽７７で、主には二つ使用してそれぞれの手を入浴するものである。この片手用の手浴槽７７は、両サイドから左右の手を挿入してバランスよく使用するものではないが、手首支え部１４自体が手浴槽７７同様に底面が接地できるよう形成してある為、手浴槽７７全体が安定した接地力を持つ。その為、手首支え部上面１４ａより加重がなされても転倒を防ぐことができるものである。
図６ｂは手首支え部１４の内部に空洞を持つ手浴槽７７の、手首支え部１４の内側断面図である。
【００２９】
図７ａは手浴槽７７斜視図であり、ｂはａを上から見た平面図である。これらは図１に示す手首支え部１４と浴槽本体１とが直線状になる手浴槽７７と変わらない物であるが、ｃは直線状ではなく、手首支え部１４と浴槽本体１とが曲線状に並ぶように形成した手浴槽７７を上から見た平面図である。
ここで言う曲線状とは、必ずしも綺麗な放物線状の手浴槽７７のみではなく、平面で見た際にそれぞれの手首支え部１４と浴槽本体１とが曲線状にある程度並ぶ状態を指すものであり、図１７に示す手浴槽７７のように、それぞれの手首支え部１４と中央に位置する浴槽空間部１１とが曲線状に並ぶ物でも同じことが言えるものである。
【００３０】
図８ａ、ｂは内部に空洞を設けた手浴槽７７である。手を挿入する為の開口部１３が上面に位置しており、ｂの中央に点線で囲われた部分が浴槽本体１であり、その両サイドの点線内部が手首支え部１４である。
このタイプの手浴槽７７は、開口部１３よりお湯を注ぐことで内部から手首支え部上面１４ａが温まり、両サイドから腕を支え、手首１０から先は開口部１３へと挿入し手浴を行うことで、腕も同時に温めることができる。
図１２に示す手浴槽７７のように、手首支え部１４の凹部より上の角部付近に給水口を具備することで、排水を効率よくすることもできる。
【００３１】
図９ａ、ｂは手首支え部上面１４ａが傾斜しており、内部に空洞を設けた手浴槽７７である。
このタイプは図１０、図１１、図１２、図１３、図１４に示す手浴槽７７も同じことが言えるものであるが、上面が傾斜していることにより上面内側に直接お湯が接触する為、手首支え部上面１４ａで支えた腕を更に効率よく温めることができるものである。
図８の手浴槽７７は開口部１３からお湯が溢れない程度に湯量を調節すれば、手首支え部上部に直接お湯が接することはないが、手首支え部上部を傾斜させたものは図１１ｂに示すように開口部１３からお湯が溢れないように調節しても、手首支え部上部の広範囲にお湯を接触させることが可能となる。
【００３２】
図１１は上面が傾斜した片手用の手浴槽７７であり、浴槽本体１と手首支え部１４は一体となっているものである。図１１ｂは側面透視図による実施例で、これにより支えられた腕も同時に温まることがわかる。図１２は浴槽本体１と手首支え部１４が別に形成され、使用時に図１２ｂのように直線状に並べて入浴する。接続できるよう形成してもよい。
図１３は中央にくる浴槽本体１の両サイドに開口部１３を設け、その開口部１３がある面に手首支え部１４を直線状に並べて入浴する手浴槽７７であり、図１３ｂは直線状に並べた状態の側面図である。
【００３３】
図１４ａは、図１１に示す手浴槽７７に蓋２を具備し、上面が水平になるように形成した手浴槽７７である。これにより図１４ｂに示したように重ねて使用することもでき、その際は両サイドから手を上下にずらして挿入し入浴することになる。重ねた際に接続固定できるように形成してもよい。
【００３４】
図１５、１６、１７は手首支え部１４より内側に向かって支え壁１２が傾斜した手浴槽７７である。浴槽本体１の中央に開口部１３があり、お湯を注いで手首支え部１４を介して手首１０及び腕を支えて入浴を行うものである。図１５、図１６ｂ、図１７ｂに示すように、お湯は傾斜した支え壁１２の方まで注ぐことができる為、入浴する際手首１０付近や腕の上面も湯船に浸かって温めることが可能となる。また、手首支え部１４と合わせて支え壁１２でも腕を支えて入浴が可能なものである。
図１５の手浴槽７７は浴槽本体１と手首支え部１４とが直線状に並んだ手浴槽７７であり、図１７は浴槽本体１と手首支え部１４とが曲線状に並んだ手浴槽７７である。
【００３５】
図１５ｂの手浴槽７７は側面断面図実施例であり、支え壁下部空洞１９があり、その空洞にもお湯が入る為支え壁１２が温まり、実際お湯に浸かって入浴できない腕部分も同時に温める効果がある。
図１６ａの手浴槽７７は、腕を支えやすいよう、手首支え部１４より開口部１３に向かっての支え壁１２が凹状になるよう形成したものである。
図１６ｂは図１６ａのＢ−Ｂ線による断面図実施例であるが、図１７の手浴槽７７の側面透視図でも同じような図になる。
図１６、図１７は浴槽空間部１１を必要に狭めることで湯量を抑えることができ、且手入れを容易とする効果も付随したものである。
【００３６】
図１５、図１６、図１７の手浴槽７７も、お湯を冷め難くするため蓋２を具備してもよい。必要であれば蓋支え板３を具備した手浴槽７７にしてもよいものである。
【００３７】
以上、本発明を実施例に基づき説明したが、本発明は上記実施例に限定されるものではなく、本発明の趣旨を剥脱しない範囲内で色々な改良、変形が可能であることは容易に推察できるものである。
【００３８】
例えば、手浴槽７７の一部に電気やその他の熱源を利用し、お湯の温度を維持したり、再度温度を上げることができるタイプがあってもよい。
【００３９】
手浴槽７７の一部に、お湯の温度を把握できるように温度計を具備したタイプがあってもよい。また、手浴槽７７の素材を選択する際、クリア素材や、半透明な物を使用することにより、容易にお湯の水位を確認することができる。
【符号の説明】
【００４０】
１      浴槽本体
１ａ    本体底面
１ｂ    本体上部
２      蓋
３      蓋支え板
４      左手用開口部
４ａ    右手用開口部
５      左手用手首支え部
５ａ    右手用手首支え部
６      支え板固定具
７      上部開口部
８      水位ライン
９      指先
１０    手首
１１    浴槽空間部
１２    支え壁
１３    開口部
１４    手首支え部
１４ａ  手首支え部上面
１４ｂ  手首支え部底面
１５    ステー
１６    ゴム挿通部
１７    手首支え部内空洞
１８    給水キャップ（給水口）
１９    支え壁下部空洞
７７    手浴槽
【要約】      （修正有）【課題】従来手浴は洗面器を用いることが多く、入浴時は手首から先を上方に反り上げる等、肩、首、手首に力が入り楽な姿勢での入浴は難しく、お湯が冷めやすい欠点もある。また、手首を支える部材を具備したスパ装置は安定度が悪く、使用時の加重により転倒は免れない物である為、使用者は力を抜いた楽な状態での入浴は不可能であったが、それら欠点を回避した手浴槽を提供する。【解決手段】浴槽本体１に手首支え部１４を具備し、手首等を支えることで肩、首、腕、手首の力を抜いた状態での入浴が可能となり、浴槽の上面が開放しないよう形成したり、蓋２を具備することで湯温を維持し、手首支え部底面を接地させるよう形成することで加重による転倒を防ぐようにした。【選択図】図２【図１】
0004763859.tif 000002
【図２】
0004763859.tif 000003
【図３】
0004763859.tif 000004
【図４】
0004763859.tif 000005
【図５】
0004763859.tif 000006
【図６】
0004763859.tif 000007
【図７】
0004763859.tif 000008
【図８】
0004763859.tif 000009
【図９】
0004763859.tif 000010
【図１０】
0004763859.tif 000011
【図１１】
0004763859.tif 000012
【図１２】
0004763859.tif 000013
【図１３】
0004763859.tif 000014
【図１４】
0004763859.tif 000015
【図１５】
0004763859.tif 000016
【図１６】
0004763859.tif 000017
【図１７】
0004763859.tif 000018